(57)【要約】積み重ねられたふるいデッキ組立体を含む振動ふるい機が提供される。いくつかの実施形態では、振動ふるい機のうちの少なくとも１つは、外側フレームと、外側フレームに接続された内側フレームと、内側フレームを振動させるために内側フレームに固定された振動モータ組立体とを含んでいても良い。複数のふるいデッキ組立体は、積み重ねた配置で内側フレームに取り付けられていてもよく、各々が交換可能ふるい組立体を受けるように構成されている。ふるい組立体は、選別される材料がふるい組立体を横切って流れる方向にふるい組立体を引っ張ることによって、複数のふるいデッキ組立体の各々に固定されていてもよい。過小材料放出組立体は、ふるい組立体を通過する材料を受け取るように構成することができ、過大材料放出組立体は、ふるい組立体を越えて通過する材料を受けるように構成されることができる。【選択図】図１
2019533573.tif 000002
【特許請求の範囲】
【請求項１】
振動ふるい機において、
外側フレームと、
前記外側フレームに接続された内側フレームと、
前記内部フレームを振動させるように前記内部フレームに取り付けられた振動モータ組立体と、
前記内側フレームに取り付けられて積み重ね配置で構成された複数のふるいデッキ組立体であって、前記複数のふるいデッキ組立体の各々は、交換可能なふるい組立体を受けるように構成され、前記ふるい組立体は、前記ふるい組立体を選別される材料が前記ふるい組立体を横切って流れる方向に引っ張ることによって前記ふるいデッキ組立体に固定された、複数のふるいデッキ組立体と、
前記ふるい組立体を通過する材料を受け取るように構成された過小材料放出組立体と、
前記ふるい組立体の上面を越えて通過する材料を受け取るように構成された過大材料放出組立体とを備え、
前記過小材料放出組立体は、前記複数のふるいデッキ組立体の各々と連通する過小傾斜台を含み、前記過大材料放出組立体は、前記複数のふるいデッキ組立体の各々と連通する過大傾斜台組立体を含む、振動ふるい機。
【請求項２】
前記過大傾斜台組立体は、第１の過大傾斜台組立体と第２の過大傾斜台組立体とを含む、請求項１に記載の振動ふるい機。
【請求項３】
前記過小傾斜台、前記第１の過大傾斜台組立体、および前記第２の過大傾斜台組立体は、前記複数のふるいデッキ組立体の下に配置され、前記過小傾斜台は、前記第１の過大傾斜台組立体と前記第２の過大傾斜台組立体との間に配置された、請求項２に記載の振動ふるい機。
【請求項４】
前記複数のふるいデッキ組立体のうちの少なくとも１つは交換可能である、請求項１に記載の振動ふるい機。
【請求項５】
前記複数のふるいデッキ組立体の各々は、第１のふるい組立体と第２のふるい組立体とを含む、請求項１に記載の振動ふるい機。
【請求項６】
前記第１のふるい組立体と前記第２のふるい組立体との間に配置された洗浄トレイをさらに備えた、請求項５に記載の振動ふるい機。
【請求項７】
前記第１のふるい組立体と前記第２のふるい組立体との間に配置された溝をさらに備えた、請求項５に記載の振動ふるい機。
【請求項８】
前記溝は、反曲線堰構造を含む、請求項７に記載の振動ふるい機。
【請求項９】
選別される前記材料の流れの方向に対して実質的に直交して延びる張力ロッドを含むふるい張力システムをさらに備え、前記張力ロッドは、前記ふるい組立体の一部と嵌合し、回転したときに前記ふるい組立体を引っ張るように構成された、請求項１に記載の振動ふるい機。
【請求項１０】
前記ふるい張力システムは、開いてふるい組立体を受ける第１の位置と閉じて固定されたふるい組立体を引っ張る第２の位置との間を前記張力ロッドが移動するように前記張力ロッドを回転させるように構成されたラチェット組立体を含む、請求項９に記載の振動ふるい機。
【請求項１１】
振動モータをさらに備え、前記振動モータは、前記過大傾斜台組立体に取り付けられた、請求項１に記載の振動ふるい機。
【請求項１２】
多重供給組立体ユニットをさらに備え、前記多重供給組立体ユニットの各々は、分流器の個々の放出物の実質的に真下に配置された、請求項１に記載の振動ふるい機。
【請求項１３】
前記振動ふるい機は、少なくとも８つのふるいデッキ組立体を含む、請求項１に記載の振動ふるい機。
【請求項１４】
前記過大傾斜台組立体は、前記ふるい組立体を通過せずに前記複数のふるいデッキ組立体の放出端を越えて搬送された材料を受け取るように構成された分岐溝を含み、前記分岐溝の第１の部分は前記第１の過大傾斜台組立体に供給し、前記分岐溝の第２の部分は前記第２の過大傾斜台組立体に供給する、請求項２に記載の振動ふるい機。
【請求項１５】
ふるいデッキ組立体において、
第１のふるい組立体を受けるように構成された第１のふるいデッキと、
第２のふるい組立体を受けるように構成され、前記第１のふるいデッキ組立体の下流に配置された、第２のふるいデッキと、
前記第１のふるいデッキ組立体と前記第２のふるいデッキ組立体との間に配置された溝とを備え、
前記第１のふるいデッキは、選別される材料を受けるように構成され、前記溝は、前記材料が前記第２のふるいデッキに到達する前に選別される材料を溜めるように構成された、ふるいデッキ組立体。
【請求項１６】
前記溝は、反曲線堰および洗浄トレイのうちの少なくとも１つを含む、請求項１５に記載のふるいデッキ組立体。
【請求項１７】
第１のふるい張力システムおよび第２のふるい張力システムをさらに備え、それぞれが選別される前記材料の流れの方向に対して実質的に直交して延在する張力ロッドを含み、前記第１の張力ロッドは、回転時に前記第１のふるい組立体の第１の部分と嵌合するように構成され、第２の張力ロッドは、回転時に前記第２のふるい組立体の第２の部分と嵌合するように構成された、請求項１５に記載のふるいデッキ組立体。
【請求項１８】
前記第１のふるい張力システムは、開いてふるい組立体を受ける第１の位置と閉じて固定されたふるい組立体を引っ張る第２の位置との間を前記第１の張力ロッドが移動するように、前記第１の張力ロッドを回転させるように構成された第１のラチェット組立体を含み、開いてふるい組立体を受ける第１の位置と閉じて固定されたふるい組立体を引っ張る第２の位置との間を前記第２の張力ロッドが移動するように、前記第２の張力ロッドを回転させるように構成された第２のラチェット組立体をさらに含む、請求項１７に記載のふるいデッキ組立体。
【請求項１９】
材料を選別する方法において、
積み重ね配置で構成された複数のふるいデッキ組立体を有する振動ふるい機に前記材料を供給することを含み、前記複数のふるいデッキ組立体の各々が交換可能ふるい組立体を受けるように構成され、前記交換可能ふるい組立体は、前記材料が前記交換可能ふるい組立体を横切って流れる方向に前記交換可能ふるい組立体を引っ張ることにより前記複数のふるいデッキ組立体に固定されており、
前記交換可能ふるい組立体を通過する過小材料が過小材料放出組立体に流れ込み、過大材料が前記複数のふるいデッキ組立体の端部を越えて過大材料放出組立体に流れ込むように前記材料を選別し、前記過小材料放出組立体は、前記複数のふるいデッキ組立体の各々と連通する過小傾斜台を含み、前記過大材料放出組立体は、前記複数のふるいデッキ組立体の各々と連通する過大傾斜台組立体を含む、材料を選別する方法。
【請求項２０】
前記過大傾斜台組立体は、第１の過大傾斜台組立体と第２の過大傾斜台組立体とを含む、請求項１９に記載の材料を選別する方法。
【請求項２１】
前記過小傾斜台、前記第１の過大傾斜台組立体、および前記第２の過大傾斜台組立体は、前記複数のふるいデッキ組立体の下に配置され、前記過小傾斜台組立体は、前記第１の過大傾斜台組立体と前記第２の過大傾斜台組立体との間に配置された、請求項２０に記載の材料を選別する方法。
【請求項２２】
前記複数のふるいデッキ組立体のうちの少なくとも１つが交換可能である、請求項１９に記載の材料を選別する方法。
【請求項２３】
前記複数のふるいデッキ組立体の各々は、第１のふるい組立体と第２のふるい組立体とを含む、請求項１９に記載の材料を選別する方法。
【請求項２４】
前記第１のふるい組立体と前記第２のふるい組立体との間に配置された溝をさらに備えた、請求項２３に記載の材料を選別する方法。
【請求項２５】
前記溝は、反曲線堰構造を含む、請求項２４に記載の材料を選別する方法。
【請求項２６】
選別される前記材料の流れの方向に対して実質的に直交して延在する張力ロッドを含むふるい張力システムをさらに備え、前記張力ロッドは前記ふるい組立体は一部と嵌合して、回転したときに前記ふるい組立体を組み立てて引っ張るように構成された、請求項１９に記載の材料を選別する方法。
【請求項２７】
選別される材料の粒子を選別するための振動ふるい機において、
外側フレームと、
前記外側フレームに接続された内側フレームと、
振動モータ組立体であって、前記振動モータが前記内側フレームを振動させるように、前記内側フレームに固定された、振動モータ組立体と、
前記内側フレームに取り付けられて概ね積み重ねられた配置で構成された複数のふるいデッキ組立体であって、前記複数のふるいデッキ組立体の各々は、材料入力端から材料出力端まで延びる前後寸法を有する、複数のふるいデッキ組立体と、
前記複数のふるいデッキ組立体の各々に取り外し可能に固定された複数の交換可能ふるいであって、前記複数の交換可能ふるいの第１の交換可能ふるいは、前記第１の交換可能ふるいを実質的に前記前後寸法に沿って引っ張ることにより、前記複数のふるいデッキ組立体の第１のふるいデッキ組立体に固定された、複数の交換可能ふるいと、
前記第１の交換可能ふるいを通過する前記材料の粒子を受け取るように構成された過小材料放出組立体と、
前記第１の交換可能ふるいの上面を越えて通過する前記材料の粒子を受け取るように構成された過大材料放出組立体とを備え、
前記過小材料放出組立体は、前記ふるいデッキ組立体の各々と連通する過小傾斜台を含み、前記過大材料放出組立体は、前記ふるいデッキ組立体の各々と連通する過大傾斜台組立体を含む、振動ふるい機。
【請求項２８】
前記複数のふるいデッキ組立体の各々は、第１のふるいデッキと第２のふるいデッキとを含み、前記第１のふるいデッキは、そこに固定された第１の交換可能なふるいを有し、前記第２のふるいデッキは、そこに固定された交換可能な第２の交換可能なふるいを有する、請求項２７に記載の振動ふるい機。
【請求項２９】
前記第１のふるいデッキと前記第２のふるいデッキとの間に配置された洗浄トレイをさらに備えた、請求項２８に記載の振動ふるい機。
【請求項３０】
前記第１のふるいデッキと前記第２のふるいデッキとの間に配置された溝をさらに備えた、請求項２８に記載の振動ふるい機。
【請求項３１】
前記溝は、反曲線堰構造を含む、請求項３０に記載の振動ふるい機。
【請求項３２】
前記前後寸法に対して実質的に直交して延在する張力ロッドを含むふるい張力システムをさらに備え、前記張力ロッドは、前記ふるいの一部と嵌合し、回転したときに前記ふるいを引っ張るように構成された、請求項２７に記載の振動ふるい機。
【請求項３３】
前記ふるい張力システムは、開いてふるい組立体を受ける第１の位置と閉じて固定されたふるい組立体を引っ張る第２の位置との間を前記第１の張力ロッドが移動するように、前記張力ロッドの第１の張力ロッドを回転させるように構成されたラチェット組立体を含む、請求項３２に記載の振動ふるい機。
【発明の詳細な説明】
【技術分野】
【０００１】
関連アプリケーションとの相互参照
［０００１］  本出願は、２０１６年１０月１４日に出願された米国仮特許出願第６２／４０８，５１４号、および２０１７年４月２１日に出願された米国特許仮出願第６２／４８８，２９３号に関連してその利益を主張し、両方の出願はその全体が参照により本明細書に組み入れられる。
【背景技術】
【０００２】
［００２３］  本開示は、概して、材料を選別するための、特に様々なサイズの材料を分離するための方法および装置に関する。本開示の実施形態は、選別システム、振動ふるい機、および振動ふるい機用の装置、ならびに様々なサイズの材料を分離するためのふるい組立体を含んでいる。
【発明の概要】
【発明が解決しようとする課題】
【０００３】
［００２４］  振動ふるいシステムは、参照により本明細書に組み込まれる、米国特許第６，４３１，３６６Ｂ２および６，８２０，７４８Ｂ２に開示されている。従来のシステムに対する本発明の利点には、関連する機械サイズの増大なしに材料を分離するためのより大きな選別能力が含まれる。本発明の実施形態は、第１および第２のふるいを有するふるいデッキ、各ふるいを前後方向（すなわち、選別されている材料の流れの方向）に引っ張る張力装置、第１および第２のふるいの間に配置された洗浄トレイ、オーバーマウントされた供給システムに直接的に接続されるように構成された供給傾斜台、例えば米国特許出願公開第２０１４／０２６３１０３Ａ１号明細書に記載された供給システムであって参照により本明細書に組み込まれる供給システム、過小および過大の材料を集める集中型放出組立体、ふるい組立体上への材料の流れのための前から後ろへの張力および衝突領域用に構成された交換可能なふるい組立体のような改良された特徴を含んでいる。本明細書に記載されているものの中でもとりわけ、これらの特徴は、直接的なオーバーヘッド供給システム、選別能力の増加、および設置面積の減少を可能にするコンパクトな設計を提供する。また、間に洗浄トレイを挟んで前から後ろに張力がかけられ、ふるい組立体自体の上の領域に衝撃を与える複数のふるい組立体は、改善された流れ特性および効率を提供する。改良された張力構造はふるい組立体の迅速で容易な交換を提供する。改良された放出組立体は、最適なまたはほぼ最適な流れ特性、ならびに大幅に減少した設置面積を提供するように構成されている。これらの改良および利点、およびその他は、本開示の態様による少なくともいくつかの実施形態によって提供されている。
【課題を解決するための手段】
【０００４】
［００２５］  本開示の例示的実施形態は、振動ふるい機を使用して様々なサイズの材料を分離する。いくつかの実施形態では、振動ふるい機は、フレーム組立体と、フレーム組立体に取り付けられた複数のふるいデッキ組立体と、過小材料放出組立体と、過大材料放出組立体とを含んでいる。フレーム組立体は、外側フレームに取り付けられた内側フレームを含んでいる。複数のふるいデッキ組立体は、内側フレームに取り付けられ、積み重ねられかつ互い違いに配置されている。ふるいデッキ組立体の各々は、第１のふるいデッキおよび第２のふるいデッキと、第１のふるいデッキと第２のふるいデッキとの間に延びる洗浄トレイと、張力組立体とを含んでいる。少なくとも１つの振動モータは、内側フレームおよび／または少なくとも１つのふるいデッキ組立体に取り付けられることができる。それぞれが少なくとも１つの振動モータを含んでいてもよい過小材料放出組立体および過大材料放出組立体は、各ふるいデッキ組立体と通信し、それぞれ、ふるいデッキ組立体から、選別された過小および過大な材料を受け取るように構成されている。
【０００５】
［００２６］  本開示の一実施形態では、振動ふるい機は、外側フレームと、外側フレームに接続された内側フレームと、内側フレームを振動させるように内側フレームに固定された振動モータ組立体とを含んでいる。複数のふるいデッキ組立体が、積み重ねられた配置で内側フレームに取り付けられ、それぞれが交換可能ふるい組立体を受けるように構成されている。ふるい組立体は、選別される材料がふるい組立体を横切って流れる方向にふるい組立体を引っ張ることによってふるいデッキ組立体に固定されている。過小材料放出組立体は、ふるい組立体を通過する材料を受け取るように構成され、過大材料放出組立体は、ふるい組立体の上面を通過する材料を受け取るように構成されている。過小材料放出組立体は、各ふるいデッキ組立体と連通する過小傾斜台を含み、過大材料放出組立体は、各ふるいデッキ組立体と連通する過大傾斜台組立体を含んでいる。
【０００６】
［００２７］  過大傾斜台組立体は、第１の過大傾斜台組立体と第２の過大傾斜台組立体とを含んでいてもよい。過小傾斜台、第１の過大傾斜台組立体、および第２の過大傾斜台組立体は、複数のふるいデッキ組立体の下に配置されることができ、過小傾斜台は、第１および第２の過大傾斜台組立体の間に配置することができる。複数のふるいデッキ組立体のうちの少なくとも１つは交換可能であってもよい。各ふるいデッキ組立体は、第１のふるい組立体と第２のふるい組立体とを含んでいてもよい。洗浄トレイは、第１のふるい組立体と第２のふるい組立体との間に配置されることができる。溝は、第１のふるい組立体と第２のふるい組立体との間に配置されていてもよい。溝は、反曲線堰構造を含んでいてもよい。
【０００７】
［００２８］  振動ふるい機は、選別される材料の流れの方向に対して実質的に直交して延びる張力ロッドを含むふるい張力システムを含んでいてもよい。張力ロッドは、ふるい組立体の一部と噛み合い、回転したときにふるい組立体を引っ張るように構成されてもよい。ふるい引張システムは、開いてふるい組立体を受ける第１の位置と閉じて固定されたふるい組立体を引っ張る第２の位置との間で張力ロッドを動かすように回転させるように構成されたラチェット組立体を含んでいてもよい。
【０００８】
［００２９］  振動ふるい機は振動モータを含むことができ、振動モータは過大傾斜台組立体に取り付けられている。振動ふるい機は、複数の供給組立体ユニットを含んでいてもよく、各供給組立体ユニットは、分流器の個々の放出物の実質的に真下に配置されている。振動ふるい機は、少なくとも８つのふるいデッキ組立体を含んでいてもよい。
【０００９】
［００３０］  過大傾斜台組立体は、ふるい組立体を通過せず、ふるいデッキ組立体の放出端を越えて搬送される材料を受け取るように構成された分岐溝を含んでいてもよい。分岐溝の第１の部分は、第１の過大傾斜台組立体に供給することができ、分岐溝の第２の部分は第２の過大傾斜台組立体に供給することができる。
【００１０】
［００３１］  本開示の一実施形態では、ふるいデッキ組立体は、第１のふるい組立体を受けるように構成された第１のふるいデッキと、第１のふるいデッキ組立体の下流に位置する第２のふるい組立体を受けるように構成された第２のふるいデッキと、第１および第２のふるいデッキ組立体に位置する溝とを含んでおり、第１のふるいデッキ組立体は選別される材料を受け取るように構成され、溝は第２のふるいデッキ組立体に達する前に選別されるべき材料を溜めるように構成されている。
【００１１】
［００３２］  溝は、反曲線堰および洗浄トレイのうちの少なくとも１つを含んでいてもよい。ふるいデッキ組立体は、選別される材料の流れの方向に対して実質的に直交して延びる張力ロッドを各々が有する、第１および第２のふるい張力システムを含んでいてもよい。第１の張力ロッドは、回転時に第１のふるい組立体の第１の部分と嵌合するように構成され、第２の張力ロッドは、回転時に第２のふるい組立体の第２の部分と嵌合するように構成されていてもよい。
【００１２】
［００３３］  第１のふるい張力システムは、第１の張力ロッドが開いてふるい組立体を受ける第１の位置と閉じて固定されたふるい組立体を引っ張る第２の位置との間を移動するように第１の張力ロッドを回転させるように構成された第１のラチェット組立体を含んでいてもよい。第２のふるい張力システムは、開いてふるい組立体を受ける第１の位置と閉じて固定されたふるい組立体を引っ張る第２の位置との間を第２の張力ロッドが移動するように第２の張力ロッドを回転させるように構成された第２のラチェット組立体を含んでいてもよい。
【００１３】
［００３４］  本開示の一実施形態では、材料を選別する方法は、積み重ね配置で構成された複数のふるいデッキ組立体を有する振動ふるい機に材料を供給することを含み、各ふるいデッキ組立体は交換可能なふるい組立体を受けるように構成されており、ふるい組立体は、材料がふるい組立体を横切って流れる方向にふるい組立体を引っ張ることによってふるいデッキ組立体に固定されており、ふるい組立体を通過する過小材料が過小材料放出組立体に流れ込み、過大材料がふるいデッキ組立体の端部を越えて過大材料放出組立体に流れ込むように材料を選別するようになっている。過小材料放出組立体は、各ふるいデッキ組立体と連通する過小傾斜台を含み、過大材料放出組立体は、各ふるいデッキ組立体と連通する過大傾斜台組立体を含んでいる。
【００１４】
［００３５］  過大傾斜台組立体は、第１および第２の過大傾斜台組立体を含んでいてもよい。過小傾斜台、第１および第２の過大傾斜台組立体は、複数のふるいデッキ組立体の下に配置されてもよく、過小傾斜台は、第１および第２の過大傾斜台組立体の間に配置されていてもよい。
【００１５】
［００３６］  複数のふるいデッキ組立体のうちの少なくとも１つは交換可能であってもよい。各ふるいデッキ組立体は、第１および第２のふるい組立体を含んでいてもよい。溝は、第１および第２のふるい組立体の間に配置されていてもよい。溝は反曲線堰構造を含んでいてもよい。
【００１６】
［００３７］  選別される材料の流れの方向に対して実質的に直交して延びる張力ロッドを有するふるい張力システムが含まれていてもよい。張力ロッドは、ふるい組立体の一部と嵌合し、回転したときにふるい組立体を引っ張るように構成されていてもよい。
【図面の簡単な説明】
【００１７】
【図１】［０００２］  本開示の１つまたは複数の実施形態による振動ふるい機の側面斜視図である。
【図２】［０００３］  図１に示す振動ふるい機の上面斜視図である。
【図３】［０００４］  図１および２に示す振動ふるい機の正面図である。
【図４】［０００５］  図１乃至３に示す振動ふるい機の背面図である。
【図５】［０００６］  本開示の１つまたは複数の実施形態による、ふるい組立体を上に取り付けたふるいデッキの等角図である。
【図６】［０００７］  ふるい組立体が取り付けられていない状態で、図１乃至４に示す振動ふるい機に組み込まれた、図５に示すふるいデッキの拡大部分等角図である。
【図７】［０００８］  図５または６に示すふるいデッキに組み込まれることができる、本開示の１つまたは複数の実施形態による洗浄トレイの拡大側面図である。
【図８】［０００９］  本開示の１つまたは複数の実施形態による、ラチェット機構を有する張力装置の等角図である。
【図９Ａ】［００１０］  図８に示すラチェット機構を有する、図５乃至７に示すふるいデッキの側面図である。
【図９Ｂ】［００１１］  図９Ａに示すラチェット機構の拡大図である。
【図１０】［００１２］  図１乃至４に示された振動ふるい機に固定された図５乃至７に示すふるい組立体およびふるいデッキの拡大部分等角図である。
【図１１Ａ】［００１３］  本開示の１つまたは複数の実施形態による、過小材料放出組立体の等角底面図である。
【図１１Ｂ】［００１４］  図１１Ａに示される過小材料放出組立体の等角平面図である。
【図１２Ａ】［００１５］  本開示の１つまたは複数の実施形態による、過大材料放出傾斜台の等角底面図である。
【図１２Ｂ】［００１６］  図１２Ａに示す過大材料放出傾斜台の等角平面図である。
【図１３Ａ】［００１７］  本開示の１つまたは複数の実施形態による、過大材料放出溝の等角上面図である。
【図１３Ｂ】［００１８］  本開示の１つまたは複数の実施形態による、図１３Ａに示す過大材料放出溝の等角底面図である。
【図１４】［００１９］  本開示の１つまたは複数の実施形態による、ふるいデッキを横切って流れる材料を有し、ふるいデッキ組立体に組み込まれたふるい組立体の衝突領域を特徴とするふるいデッキの側断面図である。
【図１５】［００２０］  本開示の１つまたは複数の実施形態による、フィルタ部材の衝突領域に落下する濾過される材料を示すトレイの側面図である。
【図１６Ａ】［００２１］  本開示の１つまたは複数の実施形態による、ふるい組立体の前面斜視図である。
【図１６Ｂ】［００２２］  本開示の一実施形態で使用するためのふるいフィルタの側面図である。
【発明を実施するための形態】
【００１８】
［００３８］  図１乃至４は、振動ふるい機１００を示している。振動ふるい機１００は、外側フレーム１１０および内側フレーム１２０を有するフレーム組立体と、供給組立体１３０と、複数のふるいデッキ組立体４００と、上部振動組立体１５０と、過小収集組立体１６０と、過大収集組立体１７０とを含んでいる。
【００１９】
［００３９］  図１は、振動ふるい機１００の側面斜視図を示している。図２は、図１に示す振動遮蔽機１００を反対側から見た振動ふるい機１００の上面斜視図を示している。図２に示すように、振動ふるい機１００の反対側は、図１に示すように、外側フレーム１１０の鏡像成分を含んでいる。鏡像外側フレーム構成要素は、対応する構成要素符号の終わりにプライム（’）を追加することによって示される。
【００２０】
［００４０］  図１および２に示すように、外側フレーム１１０は、縦方向の１組のベース支持体１１１および１１１’、横方向の１組のベース支持体１１２および１１２’、および２組の直立したチャネル１１３および１１３’ならびに１１４および１１４’を含んでいる。直立チャネル１１３、１１３’、１１４、１１４’はそれぞれ、第１の端部１１３Ａ、１１３’Ａ、１１４Ａ、１１４’Ａ、中間部１１３Ｂ、１１３’Ｂ、１１４Ｂ、１１４’Ｂ、および第２の端部１１３Ｃ、１１３’Ｃ、１１４Ｃ、１１４’Ｃを有している。第１の端部１１３Ａと１１３’Ａと１１４Ａと１１４’の各々は、第２の端部１１３Ｃと１１３’Ｃと１１４Ｃと１１４’Ｃに対して持ち上がっており、中間部分１１３Ｂと１１３’Ｂと１１４Ｂと１１４’Ｂは、それぞれ第１の端部と第２の端部にとの間の長さを延ばしている。外側フレーム１１０は、さらに、上側傾斜チャネル１１５、１１５’および下側傾斜チャネル１１６、１１６’を含んでいる。上側傾斜チャネル１１５および１１５’ならびに下側傾斜チャネル１１６および１１６’はそれぞれ、第１の端部１１５Ａおよび１１６Ａ、中間部分１１５Ｂおよび１１６Ｂ、ならびに第２の端部１１５Ｃおよび１１６Ｃをそれぞれ有する。第１の端部１１５Ａおよび１１６Ａは第２の端部１１５Ｃおよび１１６Ｃに対して高くなっており、中間部分１１５Ｂおよび１１６Ｂはそれぞれ第１の端部１１５Ａおよび１１６Ａと第２の端部１１５Ｃおよび１１６Ｃとの間の長さにわたって延びている。外側フレーム１１０はまた、３組の下降チャネル、すなわち１１７と１１７’、１１８と１１８’、および１１９と１１９’を含んでいる。各下降チャネルは、そのそれぞれの第２の端部１１７Ｂ、１１８Ｂ、１１９Ｂに対して上昇している第１の端部１１７Ａ、１１８Ａ、および１１９Ａを有している。
【００２１】
［００４１］  図１および図２に示すように、縦方向ベース支持部１１１および１１１’の両端は、横方向ベース支持部１１２および１１２’の両端に取り付けられ、４つのベース支持部が長方形を形成するようになっている。各直立チャネルの第２の端部１１３Ｃおよび１１３’Ｃならびに１１４Ｃおよび１１４’Ｃは、ベースチャネル１１１および１１１’がベースチャネル１１２および１１２’と交わる四隅に取り付けられる。直立チャネル１１３の中央部分１１３Ｂおよび１１３’Ｂは、下降チャネル１１９の第１の端部１１９Ａに取り付けられている。下降チャネル１１９の第２の端部１１９Ｂは、長手方向ベース支持体１１１の上に載っている。直立チャネル１１３の第１の端部１１３Ａは、上側傾斜チャネル１１５の中間部１１５Ｂと下降チャネル１１８の第１の端部１１８Ａとに取り付けられている。上側傾斜チャネル１１５の第１の端部１１５Ａは、下降チャネル１１７の第１の端部１１７Ａに取り付けられている。傾斜チャネル１１７の第２の端部１１７Ｂは、第１の端部１１６Ａに向かって下側傾斜チャネル１１６の中間部分１１６Ｂに取り付けられている。傾斜チャネル１１８の第２の端部１１８Ｂは、第２端１１６Ｃに向かって下側傾斜チャネル１１６の中央部分１１６Ｂに取り付けられている。低角度チャネル１１６の第２の端部１１６Ｃは、下降チャネル１１９の第２の端部１１９Ｂに取り付けられてそこで終端する。
【００２２】
［００４２］  図２に示すように、外側フレーム１１０はさらに、直立溝１１３の中央部分１１３Ｂおよび１１３Ｂ’のそれぞれに取り付けられた両端部を有する後部溝１０９を含んでいる。追加の後部チャネル１０８が後部チャネル１０９と平行に延び、それぞれ反対側の端部が中央部１１６Ｂから第２の端部１１６Ｃに向かって下側傾斜チャネル１１６およびその対応する下側傾斜チャネル１１６’に取り付けられて外側フレーム１１０を構造的に支持する。
【００２３】
［００４３］  図２に示すように、内側フレーム１２０は、ボルトなどの固定機構を介して上部振動組立体１５０およびふるいデッキ組立体４００を取り付けている。内側フレーム１２０は、上側傾斜チャネル１２５および１２５’、下側傾斜チャネル１２６および１２６’、上側下降チャネル１２７および１２７’、ならびに下側下降チャネル１２８および１２８’を含んでいる。内側フレーム１２０の上側および下側傾斜チャネル１２５および１２６は、外側フレーム１１０の内側の上側および下側傾斜チャネル１１５および１１６と平行に延びている。内側フレーム１２０の上側および下側傾斜チャネル１２７および１２８は、外側フレーム１１０の内側の下降チャネル１１７および１１８と平行に延びている。図１および２には示されていないが、内側フレーム１２０は、固定された外側フレーム１１０の構造的完全性に対する振動の影響を減衰させながら、内側フレーム１２０が振動運動を維持できるようにする弾性マウントまたは他の同様のマウントで外側フレーム１１０に取り付けられていてもよい。一実施形態では、弾性マウントは、ゴムを含む複合材料で作られており、内側フレームおよび外側フレームから雄ボルトを受け入れる雌ねじを有している。弾性マウントは、交換可能な部品であってもよい。外側フレーム１１０は、説明した特定の構成で示されているが、それが内側フレーム１２０に必要な構造的支持を提供する限り、異なる構成を有していてもよい。実施形態では、振動ふるい機１００は、既存の構造に取り付けられるように構成された足を含む外側フレームを有していてもよい。
【００２４】
［００４４］  いくつかの実施形態では、頂部振動組立体１５０は側板１５３および１５３’、第１の振動モータ１５１Ａおよび第２の振動モータ１５１Ｂを含んでいる。側板１５３および１５３’は、頂部傾斜縁部１５４、底部縁部１５５、および外面１５６を有している。サイドプレート１５３の底縁部１５５は、ボルトなどの固定機構を介してふるいデッキ組立体４００の側部チャネル４３０に固定されている。外面１５６は、頂部振動組立体１５０を構造的に支持するリブ１５７を含んでいる。振動モータ１５１Ａおよび第２の振動モータ１５１Ｂの反対側どうしは、側板１５３および１５３’の頂部傾斜縁部１５４に取り付けられている。第１および第２の振動モータ１５１Ａおよび１５１Ｂは、それらが内側フレーム１２０に取り付けられたすべてのふるいデッキ組立体４００を振動させることができるように構成されている。図１および２に特定の構成で示されているように、頂部振動組立体１５０は、本明細書に記載の機能を保持する他の構成を有していてもよいことに留意されたい。
【００２５】
［００４５］  図２に示すように、振動ふるい機１００は、供給組立体１３０を含んでいる。供給組立体１３０は、支持フレーム１３４、複数の垂直支持体１３６、供給入口ダクト１３１、取り付けアーム１３２、および供給出口ダクト１３３を含んでいる。取り付けアーム１３２は、ボルトなどの固定機構によって支持フレーム１３４および１３４’に固定されている。支持フレーム１３４および１３４’は、外側フレーム１１０の下降チャネル１１７および１１７’の上にそれと平行に配置されている。垂直支持部１３６は、供給組立体１３０が振動する内側フレーム１２０に対して固定されるように、支持フレーム１３４および１３４’を外側フレーム１１０の下降チャネル１１７および１１７’に固定している。入口ダクト１３１は、参照によりその全体が本明細書に組み込まれる米国特許出願第２０１４／０２６３１０３Ａ１号明細書に示されるような分配器、または他の材料流れ組立体からスラリーの流れを受け、それを出口ダクト１３３へ供給するように構成されている。出口ダクト１３３は、各出口ダクト１３３が材料５００の流れを各ふるいデッキ組立体４００に放出するように構成されるように、ふるいデッキ組立体４００の高い側の上方に配置されている。初期のシステムは、振動機械の一段上に配置されたホースを有するが、本開示の組立体では、振動機械上の入口の構成は、実質的に分散した液滴を流れで提供し、機械の高さを大幅に減少させる。これは本開示の少なくともいくつかの実施形態の重要な空間節約機能である。
【００２６】
［００４６］  図３は、振動ふるい機１００の正面図を示している。図４は、振動ふるい機１００の背面図を示している。図３および４に示すように、振動ふるい機１００は、過小材料収集組立体１６０および過大材料収集組立体１７０を含んでいる。図３に示すように、過小材料収集組立体１６０は、各ふるいデッキ組立体４００の下面に固定された複数の収集パン１６１と、収集パン１６１と連通する複数のダクト１６２と、過小収集傾斜台１６６とを含んでいる。過大材料収集組立体１７０は、各ふるいデッキ組立体４００の下端プレート４２８に取り付けられた複数の過大収集傾斜台１７１と、過大収集傾斜台１７１と連通している２つの過大収集溝１７６および１７６’とを含んでいる。図４に示すように、過大の収集溝１７６および１７６’は、振動モータ１７９および１７９’を含んでいる。図３および図４に示すように、過小収集傾斜台１６６は、過大収集傾斜台１７１と振動ふるい機１００のふるいデッキ組立体４００の下の過大収集溝１７６および１７６’との間に延在している。特定の構成で示されているが、過大収集溝１７６および１７６’と振動モータ１７９および１７９’とは、それらが過大収集溝１７６および１７６’を横切ってふるいデッキ組立体から放出された過大材料５００を搬送するのを助ける限り異なる配置を有していてもよい。
【００２７】
［００４７］  図５乃至１０は、ふるいデッキ４００の様々な図を示している。図５は、ふるい組立体４００の拡大等角斜視図を示している。ふるいデッキ組立体４００は、第１のふるいデッキ４１０と、第２のふるいデッキ４２０と、側部チャネル４３０および４３０’と、洗浄トレイ４４０と、張力装置４５０とを含んでいる。図５に示すように、第１のふるいデッキ４１０および第２のふるいデッキ４２０は、それぞれ第１のふるい組立体４０９および第２のふるい組立体４１９によって覆われている。第１のふるい組立体４０９および第２のふるい組立体４１９は、第１および第２のふるいデッキ４１０および４２０に取り付けられた交換可能なふるい組立体である。動作時には、振動ふるい機１００によって選別される材料５００は、第１のふるい組立体４０９の供給端部４０９Ａに沿って、供給組立体１３０の供給出口ダクト１３３から第１のふるい組立体４０９の高い側へと放出され、第１のふるいデッキ４１０の第１のふるい機４０９を横断しながら振動され、第１ふるい組立体４０９の放出端４０９Ｂを越えて、洗浄トレイ４４０の中に入る。振動が材料５００を、洗浄トレイ４４０を越えて運び、そこで材料は第２のふるい組立体４１９の供給端４１９Ａを越えて通過する。本明細書に記載されるように、材料５００は、ふるい衝突領域４４８において第２のふるい組立体４１９に衝突し、次いで第２のふるいデッキ４２０の第２のふるい組立体４１９を横断しながら振動し、下端プレート４２８に沿って第２のふるい組立体４１９の放出端４１９Ｂを越えて振動する。第１のふるい組立体４０９および第２のふるい組立体４１９は、過小材料が第１のふるい組立体４０９および第２のふるい４１９を通って過小材料収集パン１６１に落下し、ダクト１６２を介して過小収集傾斜台１６６に集められるように構成されている。過大材料はふるい４０９および４１９を通過せず、下端プレート４２８から振動され、過大収集傾斜台１７１および１７を通って過大収集溝１７６および１７６’に集められる。材料の流れの方向は大きな矢印で表されている。図にはこの特定の構成で示されているが、過大収集傾斜台１７１および１７１’および過大収集溝１７６および１７６’は、それらが各ふるいデッキ組立体から放出された過大材料を受け取り、本明細書に記載の機能を提供する限り異なる構成を有していてもよい。分割された外側の過大収集傾斜台１７１、１７１’と中央の未分配の過大収集傾斜台１６６とを通る材料の流れは、狭いスペースで効率的な流れを提供する。傾斜台１６６、１７１、１７１’の構成は、直接的かつ効率的な流れを提供しながら、機械１００の設置面積を縮小する。
【００２８】
［００４８］  第１のふるいデッキ４１０は、上端プレート４１６および下端プレート４１８を含んでいる。第２のふるいデッキ４２０は、上端プレート４２６および下端プレート４２８を含んでいる。第１のふるいデッキ４１０および第２のふるいデッキ４２０の反対側は、例えばボルトまたは溶接などの固定機構を用いて側部チャネル４３０および４３０’の内側に固定されている。側部チャネル４３０および４３０’の側部は、複数の傾斜プレート４３２を含んでいる。傾斜プレート４３２は、側部チャネル４３０および４３０’を内側フレーム１２０の上側下降チャネル１２７および１２７’および下側下降チャネル１２８および１２８’に固定するためにボルトなどの固定機構が貫通して延在することができる孔を含んでいる。この特定の構成に示されているが、側部チャネル４３０および４３０’および傾斜プレート４３２は、それらがふるいデッキ組立体４００を振動させて様々なサイズの材料５００が所望通りに分離される限り、異なる構成を有していてもよい。
【００２９】
［００４９］  図６は、ふるいデッキ４１０および４２０、洗浄トレイ４４０、側部チャネル４３０、ならびに張力装置４５０の一部の部分側面斜視図を示している。図６に示すように、可撓性材料４０５が供給組立体１３０の出口ダクト１３３を覆っている。可撓性材料４０５は、材料の流れがふるいデッキ組立体４００にわたって均一に分配されるように出口ダクト１３３からふるいデッキ組立体４００への材料の流れを制御するように構成され、それによって振動ふるい機１００の効率を最大にする。図６に示すように、第１のふるいデッキ４１０および第２のふるいデッキ４２０はふるい４０９および４１９を含まないが、振動ふるい機１００を用いて材料を分離する場合、第１および第２のふるいデッキ４１０および４２０はふるい４０９および４１９によって覆われていてもよく、本明細書に記載されているように、磨耗または損傷したときに交換されることができる。図６に示すように、第１のふるいデッキ４１０は、リブ４１２、横梁（ｓｔｒｉｎｇｅｒｓ）４１４、上端プレート４１６および下端プレート４１８を含んでいる。第２のふるいデッキ４２０は、リブ４２２、横梁４２４、上端プレート４２６および下端プレート４２８を含んでいる。リブ４１２および４２２の反対側の端部は、それぞれ、第１のふるいデッキ４１０の上端プレート４１６と下端プレート４１８との間、および第２のふるいデッキ４２０の上端プレート４２６と下端プレート４２８との間の各中間点で側部チャネル４３０および４３０’から延びている。複数の横梁４１４および４２４は、それぞれ上部端部プレート４１６および４２６から下部端部プレート４１８および４２８まで延びている。各横梁４１４の中点４１５および各横梁４２４の中点４２５は、リブ４１２および４２２の上面を横切っている。中点４１５および４２５は、横梁４１４および４２４が第１および第２のふるいデッキ４１０および４２０を横切って「クラウン（ｃｒｏｗｎ）」または湾曲を形成するように、横梁４１４および４２４の両端部に対して高くなっている。第１のふるいデッキ４１０および第２のふるいデッキ４２０はそれぞれ単一のリブ４１２および４２２を有するように示されているが、第１のふるいデッキ４１０および第２のふるいデッキ４２０は他の構成を含んでいてもよいことが理解されよう。第１のふるいデッキ４１０および第２のふるいデッキ４２０は、追加のリブが本明細書に記載の機能を提供する限り、それぞれ第１の複数のリブおよび第２の複数のリブを含んでいてもよい。いくつかの実施形態では、第１の複数のリブおよび第２の複数のリブのうちの少なくとも１つ（または、いくつかの実施形態ではそれぞれ１つ）を、リブ４１２またはリブ４２２と同様に組み立てることができる。
【００３０】
［００５０］  米国特許第６，４３１，３６６号に開示されているような他のシステムのふるい組立体とは異なり、横梁４１４および４２４は交換可能なユニットであってもよく、リブ４１２および４２２に溶接されるのではなくリブ４１２および４２２にボルト止めされていてもよい。この構成は、溶接されたふるいデッキに一般的に見られる、リブ４１２と４２２と横梁４１４と４２４の間の狭い間隔の溶接接合部を排除する。この構成は、密接に配置された溶接接合部に関連する収縮、熱変形および落下を排除し、現場での摩耗または損傷した横梁４１４および４２４の迅速な交換を可能にする。交換可能な横梁４１４および４２４は、プラスチック、金属、および／または複合材料を含んでいてもよく、そして鋳造および／または射出成形によって構築されていてもよい。図６に示されていないが、ふるいデッキ４１０および４２０は、第１のふるいデッキ４１０および第２のふるいデッキ４２０の表面を横切って延在し、それぞれ図５に示すようにリブ４１２および４２２ならびに横梁４１４および４２４を覆うふるい４０９および４１９を支持するように構成されている。
【００３１】
［００５１］  図６にさらに示すように、第１のふるいデッキ４１０の上端プレート４１６は、下端プレート４１８に対して上昇している。同様に、第２のふるいデッキ４２０の上端プレート４２６は、下端プレート４２８に対して上昇している。洗浄トレイ４４０は、第１のふるいデッキ４１０の下端プレート４１８と第２のふるいデッキ４２０の上端プレート４２６との間に延在している。第１のふるいデッキ４１０、洗浄トレイ４４０、および第２のふるいデッキ４２０は、供給組立体１３０の出口ダクト１３３および可撓性材料４０５からの材料の流れが、第２のふるいデッキ４２０を横断する前に第１のふるいデッキ４１０および洗浄トレイ４４０を横断するように構成されている。この構成は、振動選別装置１００の設置面積を増大させることなく、材料の流れが過大材料収集組立体１７０と過小材料収集組立体１６０とへ選別する表面積を増大させることによって、材料の流れを効果的に分離することを可能にする。
【００３２】
［００５２］  図７は、第１のふるいデッキ４１０および第２のふるいデッキ４２０と接続する洗浄トレイ４４０の等角側面図を示している。図７に示すように、洗浄トレイ４４０は、頂部４４２Ａおよび底部４４２Ｂを有する上側部材４４２と、第１の端部４４４Ａおよび第２の端部４４４Ｂを有する下側部材４４４と、第１の端部４４６Ａと第２端部４４６Ｂと含む湾曲側面部材４４６とを含んでいる。湾曲した側面部材４４６は、以下でより詳しく説明する「反曲線」と呼ばれるＳ字形状の湾曲を含んでいる。上側部材４４２の頂部４４２Ａは、第１のふるいデッキ４１０の下端プレート４１８に接続されている。上側部材４４２の底部４４２Ｂは、下側部材４４４の第１の端部４４４Ａに接続する。下側部材４４４の第２の端部４４４Ｂは、湾曲した側面部材４４６の第１の端部４４６Ａに接続されている。湾曲側面部材４４６の第２の端部４４６Ｂは、第２のふるいデッキ４２０の上端プレート４２６を越えて湾曲している。
【００３３】
［００５３］  結果として生じる洗浄トレイ４４０の構成は、選別される液体またはスラリー材料５００の流れを溜めるための構造を提供する溝または窪みである堰４４７を生成する。反曲線堰構造を有する洗浄トレイ４４０の実施形態は、流体力学の分野において機能的意義を有している。反曲線堰構造は、一般に、堰の基部からわずかに上昇し、反曲線構造のＳ字型曲線の最上部で最大上昇４４９に達すると説明されている。最大上昇点４４９に到達したときまたはその後に、流体は放物線状に反曲線構造上を落下する。反曲線堰の排出量の方程式は次の通りである。
【００３４】
【数１】
2019533573.tif 000003
【００３５】
［００５４］  図１に示すように、ふるいデッキ組立体４００の第１のふるいデッキ４１０と第２のふるいデッキ４２０との間に反曲線堰湾曲側面部材４４６を有する洗浄トレイ４４０を組み込むことは、ふるい開口部などの下流ふるい面に不均一に衝突するのとは対照的に、放出流が所定の摩耗面で下流ふるいパネルに衝突するように、第２のふるいデッキ４２０の上端プレート４２６、または別の所望の位置の近傍の、第１のふるいデッキ４１０によって選別された材料の流れを所望の衝撃点または衝突領域４４８に向けることができる。この構成では、衝撃点／領域４４８は、例えば流量および／または粘度などの流体パラメータが変化しても変化しないままであってもよい。反曲線堰形状の湾曲側面部材４４６を洗浄トレイ４４０に組み込むと、選別効率および一貫性を向上させ、第２のふるいデッキ４２０の磨耗を軽減させる。衝突後の材料の流れは、図１において大きな矢印で表されている。
【００３６】
［００５５］  図８、９Ａ、および９Ｂは、張力装置４５０を示している。図８は、張力装置４５０の等角斜視図を示している。張力装置４５０は、張力ロッド４５１、ブラケット４５４および４５４’、ならびにラチェット機構４５６および４５６’を含んでいる。図９Ａは、ふるいデッキ組立体４００の側部チャネル４３０に取り付けられた２つのラチェット機構４５６および２つのブラケット４５４の部分側面図を示している。図９Ｂは、図９Ａに示す２つのラチェット機構４５６およびブラケット４５４のうちの１つの拡大図を示している。以下により詳細に説明するように、各ふるいデッキ組立体４００は、２つの張力装置４５０を含んでおり、一方は第１ふるいデッキ４１０のふるい組立体４０９を引っ張ることを可能にするように構成され、他方は第２ふるいデッキ４２０のふるい４１９を引っ張ることを可能にするように構成されている。
【００３７】
［００５６］  図８に示すように、張力装置４５０は、張力ロッド４５１、ブラケット４５４および４５４’、ならびにラチェット機構４５６および４５６’を含んでいる。張力ロッド４５１は、対向する鏡像端部４５２および４５２’と、管状中間部４５３と、張力ストリップ４５５とを含んでいる。張力ロッド４５１の反対側どうしの端部４５２および４５２’は、それぞれラチェット機構４５６および４５６’の孔４５７および４５７’を通って延びており、ボルトなどの固定機構によってラチェット機構４５６および４５６’に固定されている。ラチェット機構４５６および４５６’は、ブラケット４５４および４５４’に固定されており、ブラケット４５４および４５４’はそれぞれ、図９Ａおよび９Ｂに示すように、ボルトなどの固定機構によってそれぞれふるいデッキ組立体４００の側部チャネル４３０および４３０’に固定されている。
【００３８】
［００５７］  図８には示されていないが、張力ロッド４５１の管状中央部４５３は、ふるいデッキ組立体４００の幅を側部チャネル４３０から側部チャネル４３０’に延在させている。各張力装置４５０の張力ロッド４５１は、第１のふるいデッキ４１０の上端プレート４１６および第２のふるいデッキ４２０の上端プレート４２６の下に配置されている。張力装置４５０の管状中間部分４５３および張力ストリップ４５５は、ふるい組立体４０９および／または４１９の端部を受けるように構成されている。張力ロッド４５１の反対側どうしの端部４５２、管状の中間部４５３、および張力ストリップ４５５は、反対側の端部４５２および管状中間部４５３が反時計方向に回転すると、張力ストリップ４５５は時計回りに回転し、これによりふるい組立体４０９および／または４１９を、第１のふるいデッキ４１０の上端プレート４１６、および／または、第２のふるいデッキ４２０の上端プレート４２６に向かって引っ張るように配置されている。図８に示すように、管状中間部４５３および張力ストリップ４５５を有するものとして示されているが、張力装置４５０は、ふるい組立体４０９および／または４１９の端部を受けるように構成され、ラチェット機構４５６が張力ロッド４５１を回転させてふるい組立体４０９および／または４１９を上端プレート４１６および／または４２６に向かって引っ張ることを許容するようラチェット機構４５６に接続されている限り、他の構成要素を含んでいてもよい。
【００３９】
［００５８］  図９Ａは、ふるいデッキ組立体４００の側部チャネル４３０に取り付けられた２つの張力装置４５０の２つのラチェット機構４５６および２つのブラケット４５４の部分側面図を示している。図９Ｂは、ラチェット機構４５６およびブラケット４５４の拡大図を示している。図示されていないが、張力ロッド４５１は、ふるいデッキ組立体４００の側部チャネル４３０上の各ラチェット機構４５６から、ふるいデッキ組立体４００の上端プレート４１６および４２６の下の反対側の側部チャネル４３０’上の各ラチェット機構４５６’まで延在している。
【００４０】
［００５９］  図１０は、第１のふるいデッキ４１０の下の側部チャネル４３０に取り付けられたラチェット機構４５６の拡大部分斜視図を示している。第１のふるいデッキ４１０は、供給組立体１３０および可撓性を有する流れ制御材料４０５と接続されるように示されている。図１０に示すように、ラチェット機構４５６は、上部４５８と下部４６０とを含んでいる。上側部分４５８は、下側部分４６０上の多数の歯４６１と接触するロックバー４５９を含んでいる。下部４６０は、張力ロッド４５１の第２の端部４５２がラチェット機構４５６の孔４５７を通って延びる作動点４６２を含んでいる。図１０に示すように、レンチ４６３は、ラチェット機構４５６の作動点４６２を回転させるように構成されている。レンチ４６３への反時計回りの回転力の付加に応じて、張力ロッド４５１の作動点４６２および管状中央部４５３は反時計方向に回転するように構成され、張力装置４５０がふるい組立体４０９の端部を上端プレート４１６に向かって引っ張るように、張力ストリップ４５５は時計回りに回転するように構成されている。レンチ４６３およびラチェット機構４５６の作動点４６２の回転に応じて、上部４５８のロックバー４５９および下部４６０の歯４６１は、張力装置を所定の位置にロックして張力を保持するように構成されている。これに対して、先行技術に開示されている振動ふるい機に使用されている張力装置は、振動ふるい機１００に対して横方向または側部チャネル４３０および４３０’に向かって張力を加えるが、本明細書に開示されている張力装置４５０は前側に張力を加えるが、ここで開示される張力装置４５０は、振動ふるい機１００に応じて、前後方向、または第１のふるいデッキ４１０の上端プレート４１６および下端プレート４１８および／または第２のふるいデッキ４２０の上端プレート４２６および下端プレート４２８に向けて張力を加えている。先行技術に開示されている張力装置とは異なり、張力付与装置４５０によって提供される前後方向の張力は、例えば、振動ふるい機１００によって分離されているように、第１および第２のふるいデッキを横断するときのスラリーなどの材料の流れの方向と対応している。図１０ではレンチ４６３を有して示されているが、ラチェット機構４５６の作動点４６２がここに記載されるような機能を提供する限り、それを回転させるために他の工具が用いられてもよい。
【００４１】
［００６０］  図１１Ａおよび１１Ｂは、過小材料収集組立体１６０の実施形態を示している。過小材料収集組立体１６０は、各ふるいデッキ組立体４００の下側に固定された複数の収集パン１６１（図３および図４参照）と、収集パン１６１と連通する複数のダクト１６２と、過小収集傾斜台１６６とを含んでいる。図１１Ａおよび１１Ｂに示すように、過小収集傾斜台１６６は、ボルトなどの固定機構によって振動選別機１００の外側フレーム１１０に固定することができる取り付け端部１６７と、収集傾斜台１６６の長さにわたって延在する上面１６８と、放出口１６９とを含んでいる。各ダクト１６２は、入口１６３、チャンバ１６４、および出口１６５を含んでいる。各ダクト１６２の入口１６３は、収集パン１６１から過小材料を受け取り、その材料をダクト１６２のチャンバ１６４を通して出口１６５まで集めるように構成されている。各出口１６５は、ダクト１６２の出口１６５から放出された材料が収集傾斜台１６６に入り放出口１６９を通って出るように、過小回収傾斜台１６６の上面１６８の一部と連通している。過小材料ホッパーは、放出口１６９から放出された過小材料を受け取るように構成されてもよい。図示されていないが、ダクト１６２の入口１６３は、ふるいデッキ組立体４００に取り付けられている収集パン１６１（図３および図４参照）からの振動運動に適応するための半径方向の隙間を含んでいてもよく、ダクト１６２および収集傾斜台１６６は、固定された外側フレーム１１０に取り付けられている。ダクト１６２の真下に過小収集傾斜台を配置すると、振動ふるい機１００の効率が高まり、すべての過小材料の流れを中央チャネルに集中させることによってスペースを節約する。
【００４２】
［００６１］  図１２Ａおよび１２Ｂないし図１３Ａおよび１３Ｂは、過大材料収集組立体１７０を示している。過大材料収集組立体１７０は、各ふるいデッキ組立体４００の下端プレート４２８に取り付けられた複数の過大収集傾斜台１７１と、過大収集傾斜台１７１と連通している２つの過大収集溝１７６および１７６’とを含んでいる（例えば、図３および４を参照）。
【００４３】
［００６２］  図１２Ａおよび１２Ｂは、過大収集傾斜台１７１の実施形態を示している。図１３Ａおよび１３Ｂは、過大収集溝１７６の実施形態を示している。図１２Ａおよび１２Ｂに示すように、各過大収集傾斜台１７１は、第１の側面１７２と第１の側面１７２に鏡像な第２の側面１７２’を含んでおり、両方とも取付アーム１７３Ａを有する入口１７３、チャンバ１７４、および出口１７５を有している。各過大収集傾斜台１７１の取付アーム１７３Ａは、過小放出組立体までふるい４０９および／または４１９を通過しない材料がふるいデッキ組立体４００の下側端部プレート４２８から過大材料収集傾斜台１７１の入口１７３内へと転がり落ちるように、ボルトなどの固定機構を用いてふるいデッキ組立体４００の各下側端部プレート４２８に固定されている（例えば、図３乃至４参照）。入口１７３への進入時または進入後に、過大材料がチャンバ１７４を通過して集められ、出口１７５から過大収集溝１７６に放出される。台形形状を有するように示されているが、過大収集傾斜台１７１はこの構成に限定されないことが理解されよう。過大収集傾斜台１７１は、そのような傾斜台が、ふるいデッキ組立体４００の下側端部プレート４２８から過大材料を受け取り、過大材料を過大収集溝１７６および１７６’のうちの１つに移送することができる限り、他の構成を有していてもよい。
【００４４】
［００６３］  図１３Ａおよび１３Ｂに示すように、過大収集溝１７６は、取付端部プレート１７７、背面１７８、出口１８０、およびチャネル１８１を含んでいる。取付端部プレート１７７は、ボルトのような固定機構を用いて内側フレーム１２０の後部チャネル１２９に固定されている（例えば、図３および４参照）。チャネル１８１は、取付端部プレート１７７から過大集合傾斜台１７１の各出口１７５の下の出口１８０まで延在しているので、各過大集合傾斜台１７１から放出された過大材料は、過大集合溝１７６のチャンネル１８１内に落下する。振動モータ１７９は、ボルトなどの固定機構を用いて過大収集溝１７６の背面１７８に取り付けられており、過大材料がチャネル１８１を通って出口１８０まで通過する速度を高め、それによって振動ふるい機１００が扱う材料の体積を増やす。全体的に処理することがあります。図示されていないが、過大材料ホッパーは、過大収集溝１７６の出口１８０から放出される過大材料を受け取るように構成されてもよい。
【００４５】
［００６４］  図１４は、第２のふるいデッキ４２０に沿って第２のふるい４１９に張力をかける張力組立体４５０の詳細を示すふるいデッキ組立体４００の図７と同様の側面図である。図１４に示すように、選別される材料５００は、振動を介して第１のふるい組立体４０９を横切って第１のふるい組立体４０９の放出端４０９Ｂに向かって流れる。通過しているときに、適切な大きさの材料粒子５００は、第１のふるい組立体４０９の開口部または孔４８８Ａを通過する。第１のふるい組立体４０９Ｂの放出端部４０９Ｂを通過した後、材料５００は洗浄トレイ４４０内を通過し、湾曲した側面部材４４６および最大上昇部４４９を越えて通過する。最大上昇部４４９を越えて通過した後、材料５００は第２のトレイ４１９の衝突領域４４８に着地し、次に第２のふるい４１９を横切って振動し、適切な大きさの材料５００が第２のふるい４１９を経路に沿って通過するように、入力端部４１９Ａから放出端部４１９Ｂまで通過する。ふるい４０９、４１９は、以下でさらに詳細に説明するように、デッキ４１０、４２０のデッキクリップ４５５Ｂおよび張力装置４５０の張力ストリップ４５５を介してデッキ４１０、４２０に選択的に取り付けられている。
【００４６】
［００６５］  図１４から理解されるように、また以下でさらに詳細に説明されるように、ふるい組立体４０９、４１９の放出端４０９Ｂ、４１９Ｂは、固定デッキクリップ４５５Ｂに取り付けられ、反対側の入力端４０９Ａ、４１９Ａは張力装置４５０の張力ストリップ４５５に取り付けられている。張力ストリップ４５５が回転されると、ふるい組立体４０９、４１９は、選別される材料がふるいデッキ組立体４００を横切って流れるのと同じ方向に、関連するデッキ４１０、４２０を横切って前後に引っ張られる。これはふるい組立体が側部から引っ張られる、初期のシステムに対する改良であり、選別される材料の流れに垂直なクラウンを残し、流れに谷間と非効率性を生じさせる。
【００４７】
［００６６］  図１５は、それぞれ第１および第２のふるいデッキ４１０、４２０に引っ張られた第１および第２のふるい組立体４０９、４１９のさらなる詳細を示すふるいデッキ組立体４００の側部斜視図である。図１５では、ふるい４０９、４１９の一部が切り取られてふるいの下のデッキ４１０、４２０の態様を示している。材料５００は、洗浄トレイ４４０を越えて通過して第２のフィルタ４１９の衝突領域４４８に衝突するように示されている。
【００４８】
［００６７］  図１６Ａおよび１６Ｂは、上述の振動ふるい機１００およびふるいデッキ組立体４００と共に使用するためのふるい組立体４１９の図を示している。図１６Ａおよび１６Ｂの以下の説明は第２のふるい組立体４１９を参照して行われるが、この説明は第１のふるい組立体４０９、にも同様に当てはまり、第１のふるい組立体４０９は、通常、ふるい組立体４１９と同一であり得るが、任意選択で異なる大きさおよび構成、例えば、異なる大きさの衝突領域４４８（より小さいまたはより大きい）、異なる大きさの開口構成、それらの組み合わせなどを有していてもよいことに留意されたい。
【００４９】
［００６８］  図１６Ａは、本開示の１つまたは複数の実施形態によるふるい４１９の正面斜視図である。ふるい４１９は、ここに記載の方法により張力下でデッキ４２０に取り外し可能に固定されるように構成されている。ふるい４１９は、供給端部４１９Ａと反対側の放出端部４１９Ｂとを含んでいる。ふるい４１９は、端部４１９Ａおよび４１９Ｂ間の幅方向寸法と、対向する側縁部４８３間の長さ方向寸法とを有している。フィルタ領域４８８は、ふるい４１９の表面を実質的に横切って延びる複数の個々の開口部または孔４８８Ａによって画定されている。開口部４８８Ａは、約２０ミクロン以上約１００ミクロン以下の範囲のそれぞれの大きさを有する辺の長さによって決定されるサイズなどの選択された大きさを有している。いくつかの実施形態では、開口部４８８Ａは矩形形状であってもよく、約４３ミクロン以上約１００ミクロン以下の範囲の実質的に均一な幅または実質的に均一な厚さ、および約４３ミクロン以上約２０００ミクロン以下の範囲内の実質的に均一な長さを有していてもよい。
【００５０】
［００６９］  図１６Ａに示すように、フィルタ領域４８８は、供給端部４１９Ａに沿って形成された衝突領域４４８、放出端４１９Ｂに沿ったストリップ４８６、およびそれぞれの側縁部４８３に沿った対向するサイドストリップ４８４によって囲まれている。衝突領域４４８、ストリップ４８６、およびサイドストリップ４８４の端部は当接点で一体的に結合されており、フィルタ領域４８８を構造的に支持し、配置および機械１００上での使用中の裂け等を防止する。図１４に示すように、材料５００が洗浄トレイ４４０の湾曲部材４４６上を流れると、材料５００は衝突領域４４８に着地する。衝突領域４４８は、個々の開口部４８８Ａの完全性を保護し、大きな粒子が開口部４８８Ａ内に引っ掛かる可能性を防止または低減する。図１４に示すように、材料５００が供給端部４１９Ａから放出端部４１９Ｂへ流れるにつれて、材料５００の適切な大きさの粒子が開口部４８８Ａを通過する。衝突領域４４８は、選別用途および所望の流れ特性に応じて異なる大きさおよび構成を有してもよい。
【００５１】
［００７０］  図１６Ａおよび１６Ｂに示すように、第１のバインダーストリップ４８１Ａは、供給端部４１９Ａに沿って設けられており、第２のバインダーストリップ４８１Ｂは、放出端４１９Ｂに沿って設けられている。各バインダーストリップ４８１Ａ、４８１Ｂは、実質的に各端部４１９Ａ、４１９Ｂの長さに沿って供給端部４１９Ａ、４１９Ｂに一体化されている概ねＵ字形状の金属ストリップであってもよい。バインダーストリップ４８１Ａ、４８１Ｂをふるい４１９に取り付けるために代替手段が使用されることができるが、バインダーストリップ４８１Ａ、４８１Ｂは、ふるい４１９から分離されることなく、またはふるい４１９がデッキ４２０から緩むことなく、振動ふるい機１００の動作中のかなりの力に耐えるように構成されている。
【００５２】
［００７１］  図１６Ｂは、本開示の例示的実施形態で使用するためのふるいフィルタ４１９の側面図である。図１６Ｂに示すように側方から見たときに、ふるい４１９は薄い輪郭を有している。図１６Ｂに示すように、ふるいフィルタ４１９は、上側に材料入力面４８５Ａを有し、その反対側に材料出力面４８５Ｂを有している。個々のふるい開口部４８８Ａは、振動選別している間に個々の粒子がふるい領域４８８を通過するように、入力側４８５Ａから出力側４８５Ｂまで延在している。図１６Ｂに示す実施形態では、第１および第２のバインダーストリップ４８１Ａ、４８１Ｂは、ふるい４１９の下側から下方に垂れ下がっている。各バインダーストリップ４８１Ａ、４８１Ｂは、Ｌ字形状またはＣ字形状など、ふるい４１９の中心に向かって戻るように湾曲している。
【００５３】
［００７２］  ふるい組立体４０９、４１９は、デッキ４１０、４２０の大きさに合うように寸法決めされている。いくつかの実施形態において、ふるい組立体４０９、４１９は、好ましくは、長さ約５６ｃｍ、幅約３０ｃｍ、および厚さ約０．２５ｃｍを有している。衝突領域４４８は、約３ｃｍの幅であり、より狭いまたはより広い衝突領域４４８が使用されていてもよく、前者は保護を減少させ、後者は開口部４８８Ａの数を減少させる。ストリップ４８６およびサイドストリップ４８４は、約１ｃｍの幅である。ふるい４０９、４１９は、好ましくはポリウレタン製である。ここで記載された振動ふるい機１００と共に使用するためのふるい４１９の例示的な実施形態が図１６Ａおよび１６Ｂに示されているが、ふるい１００は、ふるい、選別材料、および選別特性（開口／孔の大きさ、接続機構など）の代替構成と共に使用するように構成されていてもよい。ふるい機１００と共に使用するためにふるい４０９、４１９に組み込むことができる、ふるい、選別材料、および選別特性の例は、本出願人の米国特許第９，４０９，２０９号、米国特許出願公開第２０１３／３１３，１６８号Ａ１、米国特許出願公開第２０１４／０２６２９７８号Ａ１、および米国特許出願公開第２０１６／０３１０９９４号Ａ１に見られ、その開示内容全体が参照により本明細書に組み入れられる。
【００５４】
［００７３］  ふるい組立体４０９、４１９をデッキ４１０、４２０に取り付ける方法を説明する。図１４に示すように、デッキクリップ４５５Ｂはデッキ４１０、４２０のそれぞれの出力端４１０Ｂ、４２０Ｂに隣接して固定されている。デッキクリップ４５５Ｂは、ふるい４０９、４１９の出力端部４０９Ｂ、４１９Ｂをふるいデッキ４１０、４２０に取り付けるための大きさおよび構成を有している。一実施形態では、デッキクリップ４５５Ｂは、ふるい組立体４０９、４１９の長さに沿って延在するバインダーストリップ４８１Ａ、４８１Ｂと同様に、実質的に放出端４１０Ｂ、４２０Ｂの長さに沿って延在している。図１４に示すように、横の輪郭で見たときにデッキクリップはＬ字形状の外観を有するが、湾曲したＣ字形状の外観のような他の係合構成も使用されることができる。図１４に示すように、ふるい組立体４０９、４１９の放出端４０９Ｂ、４１９Ｂに沿った第２のバインダーストリップ４８１Ｂはデッキクリップ４５５Ｂに係合され、それによりバインダーストリップ４８１ＢのＬ字形状またはＣ字形状の側面は、デッキクリップ４５５ＢのＬ字形状またはＣ字形状の外観と互いに噛み合うようになっている。バインダークリップ４８１Ｂがデッキクリップ４５５Ｂと相互接続されて保持されるように、張力がデッキ４１０、４２０を横切って入力端４１０Ａ、４２０Ａに向けてふるい組立体４０９、４１９を広げるようにかけられる。ふるい組立体４０９、４１９がデッキ４１０、４２０を横切って広がると、ふるい組立体４０９、４１９の第１のバインダーストリップ４８１Ａは、次に、張力ストリップ４５５のＬ字形状またはＣ字形状の外観が第１のバインダーストリップ４８１Ａに相互接続されるように、張力装置４５０の張力ストリップ４５５に係合される。張力は次に、張力装置４５０を介してふるい組立体４０９、４１９に張力が加えられ、それにより第１のバインダーストリップ４８１Ａを張力ストリップ４５５に選択的に固定し、それによってフィルタ４０９、４１９は、機械１００の動作中に材料５００の粒子を選別するのに使用するために、デッキ４１０、４２０に沿って強く引っ張られる。
【００５５】
［００７４］  ある程度の期間の使用後、ふるい４０９、４１９は、新しいふるい４０９、４１９と交換するためにデッキ４１０、４２０から選択的に取り外されることができる。ふるいを取り外す方法では、第１のストリップ４８１Ａから張力ストリップ４５５を解放するのに張力装置４５０が使用される。ふるい組立体４０９、４１９は次に、デッキ４１０、４２０の放出端４１０Ａ、４２０Ａに向かって引っ張られるまたはスライドさせられて第２のバインダーストリップ４８１Ｂをデッキクリップ４５５Ｂから解放させる。
【００５６】
［００７５］  特に明記しない限り、または使用される文脈の中で理解されない限り、特に、「することができる」、「することができた」、「することがある」、または「するであろう」等の条件的な記載は、通常は、他の実施は含まないが、特定の実施が、特定の特徴、要素、および／または動作を含んでいてもよいことを伝えることを意図している。したがって、そのような条件付き記載は、一般に、特徴、要素、および／または動作が、１つまたは複数の実施に何らかの形で必要であること、または１つまたは複数の実施がユーザ入力またはプロンプトの有無に関わらず、これらの特徴、要素、および／または動作が含まれているかどうか、または特定の実施で実行されることになっているかどうかは、決定するためのロジックを必ず含むことを暗示することを意図していない。
【００５７】
［００７６］  本明細書および添付の図面は、積み重ねられたふるいデッキ組立体を含む振動ふるい機を開示している。もちろん、本開示の様々な態様を説明する目的で、考えられるあらゆる要素の組み合わせを記載することは不可能である。したがって、本開示の実施形態は様々な実装および活用を参照して説明されているが、そのような実施形態は例示的なものであり、本開示の範囲はそれらに限定されないことに留意されたい。当業者は、開示された特徴の多くのさらなる組み合わせおよび置換が可能であることを認識することができる。このように、本開示の範囲または精神から逸脱することなく、本開示に対して様々な改良が加えられてもよい。追加的にまたは代替的に、本開示の他の実施形態は、本明細書および添付の図面の考察、ならびに本明細書に提示されているような本開示の実施から明らかとなってもよい。本明細書および添付の図面に提示された例は、あらゆる点で例示的であり限定的ではないと見なされることが意図されている。ここでは特定の用語が使用されているが、それらは一般的かつ説明的な意味でのみ使用されており、限定の目的では使用されていない。
【図１】
2019533573.tif 000004
【図２】
2019533573.tif 000005
【図３】
2019533573.tif 000006
【図４】
2019533573.tif 000007
【図５】
2019533573.tif 000008
【図６】
2019533573.tif 000009
【図７】
2019533573.tif 000010
【図８】
2019533573.tif 000011
【図９Ａ】
2019533573.tif 000012
【図９Ｂ】
2019533573.tif 000013
【図１０】
2019533573.tif 000014
【図１１Ａ】
2019533573.tif 000015
【図１１Ｂ】
2019533573.tif 000016
【図１２Ａ】
2019533573.tif 000017
【図１２Ｂ】
2019533573.tif 000018
【図１３Ａ】
2019533573.tif 000019
【図１３Ｂ】
2019533573.tif 000020
【図１４】
2019533573.tif 000021
【図１５】
2019533573.tif 000022
【図１６Ａ】
2019533573.tif 000023
【図１６Ｂ】
2019533573.tif 000024
【国際調査報告】
2019533573.tif 000025
2019533573.tif 000026